(57)【要約】  複数の数値設定操作部が１つの桁毎に設けられることによって複数の桁の数値が表現される操作入力部（１０）を具備し、設定された当該数値を電気信号化する数値入力装置（１）であって、複数の数値設定操作部の各々は初期状態となる側に付勢され、数値設定操作部とは別に設けられた入力確定キーが操作された場合において、当該入力確定キーが操作された時点における各桁毎の前記数値設定操作部の状態を反映した数値を確定させて電気信号化する信号生成部（３０）を具備する。
2019220756.tif 000002
【特許請求の範囲】
【請求項１】
各々について２つの状態が設定された複数の数値設定操作部が組み合わせて用いられ、複数の前記数値設定操作部の各々が初期状態である場合が０を表現するように、複数の前記数値設定操作部の状態の組み合わせによって数字が表現され、複数の前記数値設定操作部が１つの桁毎に設けられることによって複数の桁の数値が表現される操作入力部を具備し、設定された当該数値を電気信号化する数値入力装置であって、
複数の前記数値設定操作部の各々は前記初期状態となる側に付勢され、
前記数値設定操作部とは別に設けられた入力確定キーが操作された場合において、当該入力確定キーが操作された時点における各桁毎の前記数値設定操作部の状態を反映した前記数値を確定させて電気信号化する信号生成部を具備することを特徴とする数値入力装置。
【請求項２】
前記信号生成部は、前記入力確定キーの操作がない状態において、
最も低位の桁における前記数値設定操作部のいずれかを前記初期状態から変更させる操作が行われた場合に、当該操作の後における各桁の前記数値設定操作部の状態を反映した数値を確定させる第１の確定動作を行うことを特徴とする請求項１に記載の数値入力装置。
【請求項３】
前記信号生成部は、前記入力確定キーの操作がない状態において、
前記数値設定操作部のうちの少なくとも一つが操作されて前記初期状態から変更され、かつ当該数値設定操作部が設けられた桁よりも上位の桁において前記初期状態から変更された前記数値設定操作部が存在せずに前記数値が設定された状態の後において、当該上位の桁においていずれかの前記数値設定操作部が新たに操作されて前記初期状態から変更された場合に、当該操作の前における各桁の前記数値設定操作部の状態を反映した数値を確定させる第２の確定動作を行うことを特徴とする請求項１に記載の数値入力装置。
【請求項４】
前記信号生成部は、前記入力確定キーの操作がない状態において、
前記数値設定操作部のうちの少なくとも一つが操作されて前記初期状態から変更されたことによって前記数値が設定された状態の後において、操作された前記数値設定操作部が属する桁において前記数値設定操作部の状態を更に変更する操作が行われた場合に、当該操作の前における各桁の前記数値設定操作部の状態を反映した数値を確定させる第３の確定動作を行うことを特徴とする請求項１に記載の数値入
力装置。
【請求項５】
前記数値設定操作部、前記入力確定キーとは別に設けられた修正キーが操作された場合において、前記第３の確定動作が行われないことを特徴とする請求項４に記載の数値入力装置。
【請求項６】
前記信号生成部は、前記入力確定キーの操作がない状態において、
前記数値設定操作部のうちの少なくとも一つが操作されて前記初期状態から変更され、かつ当該数値設定操作部が前記初期状態から変更された状態が固定されて維持された時間が予め定められた閾値よりも長い場合に、当該操作の時点における各桁の前記数値設定操作部の状態を反映した数値を確定させる第４の確定動作を行うことを特徴とする請求項１に記載の数値入力装置。
【請求項７】
前記操作入力部において前記数値設定操作部は桁毎に５つ設けられ、５つの前記数値設定操作部の状態の組み合わせによって算盤式で０〜９の数字が表現されることを特徴とする請求項１に記載の数値入力装置。
【請求項８】
請求項１に記載の数値入力装置によって確定された前記数値を、日本語文字、又はアルファベット文字に対応させて文字化することを特徴とする文字入力装置。
【発明の詳細な説明】
【技術分野】
【０００１】
本発明は、ユーザーの操作によって数値、文字を設定して電気信号化する数値入力装置、文字入力装置に関する。
【背景技術】
【０００２】
パーソナルコンピューターや電子式卓上計算機（電卓）等における数値入力をするためには、例えば０〜９に対応した操作キー（数値設定キー）やその他の演算子キーが配列して設けられたテンキーが広く用いられ、その操作によって設定された数値が電気信号化され、各種の演算等のために用いられる。一方、簡単な算術計算（特に加減算）のためには、古くから算盤（そろばん）は広く用いられている。算盤においては、０〜９の数値を表現する５つの珠の縦方向の配列が、桁に対応して横方向に多数配列されている。特に、加減算を行う場合においては、熟達者であれば、上記のようなテンキーを用いた電卓よりも、算盤を用いた場合の方が、誤りがなく、かつ早く結果を出すことができる場合が多い。【０００３】
このため、特許文献１には、数値入力が算盤と同様の方式で行われる入力装置が記載されている。この装置においては、数値設定キーが算盤の珠に対応して縦方向（０〜９の数値に対応して５つ）、横方向（桁に対応して多数）に配列されている。算盤の珠の位置（上下）は、各数値設定キーの点灯のオン・オフで表示される。こうした構成によって、この装置においては、数値入力を算盤と同じ態様で行うことができ、簡単な算術計算に関しては、通常の電卓等よりも処理速度が速くなった。
【先行技術文献】
【特許文献】
【０００４】
【特許文献１】特開平７−２１０２８４号公報
【発明の概要】
【発明が解決しようとする課題】
【０００５】
上記の数値入力装置においても、多くの操作が必要となった。このため、上記の数値入力装置における処理速度は、単純な算術計算を行う場合においても、実際には十分ではなかった。【０００６】
一方で、実際の算盤の入力においては、加算を行うことを主眼としているために、この入力方式をそのままキー操作で行う場合には、入力した数値に不確定性がある場合がある。例えば、算盤では、１００１と入力した場合と、１０００＋１とを入力した場合の区別ができない。算盤ではこうした点は問題にはならないが、数値入力を目的とする場合には、問題となる。【０００７】
このため、算盤方式の素早い入力を、不確定性なく行えることが求められた。【０００８】
本発明はこのような状況に鑑みてなされたものであり、上記課題を解決できる技術を提供することを目的とする。
【課題を解決するための手段】
【０００９】
本発明の数値入力装置は、各々について２つの状態が設定された複数の数値設定操作部が組み合わせて用いられ、複数の前記数値設定操作部の各々が初期状態である場合が０を表現するように、複数の前記数値設定操作部の状態の組み合わせによって数字が表現され、複数の前記数値設定操作部が１つの桁毎に設けられることによって複数の桁の数値が表現される操作入力部を具備し、設定された当該数値を電気信号化する数値入力装置であって、複数の前記数値設定操作部の各々は前記初期状態となる側に付勢され、前記数値設定操作部とは別に設けられた入力確定キーが操作された場合において、当該入力確定キーが操作された時点における各桁毎の前記数値設定操作部の状態を反映した前記数値を確定させて電気信号化する信号生成部を具備することを特徴とする。
【発明の効果】
【００１０】
上記の構成により、算盤方式の素早い入力を、不確定性なく行うことができる。
【図面の簡単な説明】
【００１１】
【図１】本発明の実施の形態に係る数値入力装置が用いられたパーソナルコンピューターの構成を示す図である。
【図２Ａ】本発明の実施の形態に係る数値入力装置において、実際の算盤と同様の機械的構成が用いられた場合の表示の例である。
【図２Ｂ】本発明の実施の形態に係る数値入力装置において、実際の算盤と同様の機械的構成が用いられた場合の表示の例である。
【図２Ｃ】本発明の実施の形態に係る数値入力装置において、実際の算盤と同様の機械的構成が用いられた場合の表示の例である。
【図３Ａ】本発明の実施の形態に係る数値入力装置において、算盤の珠の代わりに操作キーが用いられた場合の表示の例である。
【図３Ｂ】本発明の実施の形態に係る数値入力装置において、算盤の珠の代わりに操作キーが用いられた場合の表示の例である。
【図３Ｃ】本発明の実施の形態に係る数値入力装置において、算盤の珠の代わりに操作キーが用いられた場合の表示の例である。
【図４Ａ】本発明の実施の形態に係る数値入力装置における第１の確定動作を示す例である。
【図４Ｂ】本発明の実施の形態に係る数値入力装置における第１の確定動作を示す例である。
【図５Ａ】本発明の実施の形態に係る数値入力装置において、入力確定キーが用いられる場合の動作を示す例である。
【図５Ｂ】本発明の実施の形態に係る数値入力装置において、入力確定キーが用いられる場合の動作を示す例である。
【図６Ａ】本発明の実施の形態に係る数値入力装置における第２の確定動作を示す例である。
【図６Ｂ】本発明の実施の形態に係る数値入力装置における第２の確定動作を示す例である。
【図６Ｃ】本発明の実施の形態に係る数値入力装置における第２の確定動作を示す例である。
【図７Ａ】本発明の実施の形態に係る数値入力装置における第３の確定動作を示す例である。
【図７Ｂ】本発明の実施の形態に係る数値入力装置における第３の確定動作を示す例である。
【図７Ｃ】本発明の実施の形態に係る数値入力装置における第３の確定動作を示す例である。
【図８Ａ】本発明の実施の形態に係る数値入力装置において、修正キーが用いられる場合の動作を示す例である。
【図８Ｂ】本発明の実施の形態に係る数値入力装置において、修正キーが用いられる場合の動作を示す例である。
【図８Ｃ】本発明の実施の形態に係る数値入力装置において、修正キーが用いられる場合の動作を示す例である。
【発明を実施するための形態】
【００１２】
以下、本発明を実施の形態に係る数値入力装置について説明する。図１は、この数値入力装置１が数値入力のために用いられたパーソナルコンピューター１００の構成を示す図である。このパーソナルコンピューター１００においては、ＣＰＵを具備する制御部１１０は、数値入力装置１によって１０進数で表示された数値や各種の操作に対応する電気信号を受信し、これに応じて各種の処理（数値計算等）を行う。操作入力装置（数値入力装置）１によって入力されたと制御部１１０が認識した数値や、各種の結果は、ディスプレイを具備する表示部１２０で表示される。
【００１３】
操作入力装置１においては、特に数値の入力のためにユーザーに用いられる数値操作入力部（操作入力部）１０と、数値以外の入力（例えば、各種の演算子やカーソル操作等）のために用いられる機能操作入力部２０と、がそれぞれ設けられる。信号生成部３０は、数値操作入力部１０、機能操作入力部２０においてユーザーによって行われた操作に応じて、電気信号を生成し、制御部１１０は、この電気信号によって、入力された数値や要求された操作を認識する。
【００１４】
また、図２Ａ〜２Ｃは、この操作入力装置１における数値操作入力部１０の構成を示す図であり、数字の入力は算盤と同様の方式で行われる。ここでは、５桁の数字を表現する場合が示されている。このため、数値操作入力部１０としては、実際の算盤と同様の機械的構成を具備してもよく、特許文献１に記載の技術と同様に、算盤の珠が一つの操作キー（数値設定操作部）となるように構成してもよい。図２Ａ〜２Ｃにおいては対応する実際の算盤を数値操作入力部１０とした場合が、図３Ａ〜３Ｃにおいては算盤における一つの珠を一つの数値設定操作部とするように操作キーの配列を構成した場合が、それぞれ示されている。
【００１５】
図２Ａ〜２Ｃ、図３Ａ〜３Ｃにおいて、図２Ａ、図３Ａは５桁の数値「０００００」を表示した場合、図２Ｂ、図３Ｂは「００１６０」を表示した場合、図２Ｃ、図３Ｃは、「０３０７０」を表示した場合、をそれぞれ示す。算盤と同様の機械的構成を用いた場合（図２Ａ〜２Ｃ）においては、０〜９の数字を表すために、各列（桁に対応）においては、上からＢ０〜Ｂ４の５つの珠（数値設定操作部）が用いられる。珠Ｂ０〜Ｂ４の各々は、これらが上側にある状態と、下側にある状態の２つの状態のうちのいずれかをとる。図２Ａにおける全ての桁で示されるように、珠Ｂ０が上側の状態で珠Ｂ１〜Ｂ４が下側にある状態が、「０」に対応し、各珠は、この状態となるようにバネで付勢されている。すなわち、珠Ｂ０が上側に、珠Ｂ１〜Ｂ４は下側に付勢されている。このため、この操作入力装置１においては、ある桁における数値の初期値として０が設定されており、この数値が１〜９である場合には何らかの操作を要し、この数値が０である場合には、操作は不要となる。
【００１６】
このため、図２Ａの状態は、ユーザーが数値操作入力部１０に全く手を触れない状態となっており、この場合には「０００００」が表示されている。一方、ユーザーが対応する珠をバネに抗して操作することによって、図２Ｂ、２Ｃのように「００１６０」、「０３０７０」を表示する状態とすることができる。この際、珠Ｂ１〜Ｂ４は上下方向で隣接しておりかつ上記のようにバネにより付勢されているため、図２Ｃにおいては、１０００の位においては珠Ｂ３を操作することにより珠Ｂ１、Ｂ２に触れる必要はなく、１０の位においては珠Ｂ２を操作することにより珠Ｂ１に触れる必要はない。各珠が上下のどちらの状態にあるかは、各珠の位置を認識するセンサを設けることによって認識でき、これによって上記のような５桁の数値を認識することができる。
【００１７】
一方、図３Ａ〜３Ｃにおいては、上記の珠Ｂ０〜Ｂ４の代わりに、これらの各々に対応して操作キー（数値設定操作部）Ｋ０〜Ｋ４が各列（桁に対応）毎に設けられている。ここでは、操作キーＫ０〜Ｋ４の全ては紙面手前側にバネで付勢されており、操作キーＫ０が手前側にある状態が前記の珠Ｂ０が上側の状態、操作キーＫ１〜Ｋ４が手前側にある状態が前記の珠Ｂ１〜Ｂ４が下側にある状態と対応させることができる。ここで、操作キーＫ２〜Ｋ４が操作された（押された）場合には、操作キーＫ１〜Ｋ３のうち操作された操作キーよりも上側の操作キーも同時に操作されたものと認識させることができる。図３Ｂ、３Ｃにおいては、このように操作されたと認識された操作キーがハッチングして示されており、この点については、以降に説明する他のキーについても同様である。これにより、図２Ａ〜２Ｃの場合と同様に、操作キーＫ０〜Ｋ４を用いて、算盤と同様の方式で５桁の数値を表現することができる。
【００１８】
図２Ａ〜２Ｃ、図３Ａ〜３Ｃのどちらの構成においても、５桁の数値の入力が完了した場合には、この旨を信号生成部３０が認識することによって、信号生成部３０がこの５桁の数値を確定させて電気信号として制御部１１０側に出力することができる。このために、上記のように数値の設定のために用いられる珠Ｂ０〜Ｂ４、操作キーＫ０〜Ｋ４とは別に、設定された数値を確定させるための入力確定キーＣＲが設けられている。どちらの構成においても、入力確定キーＣＲが操作された（押された）場合に、信号生成部３０は、その時点で設定されている数値をこれに対応する電気信号として制御部１１０に出力する。このため、制御部１０は、図２Ａ、図３Ａの状態で入力確定キーＣＲが操作された場合には「０００００」が、図２Ｂ、図３Ｂの状態で入力確定キーＣＲが操作された場合には「００１６０」が、図２Ｃ、図３Ｃの状態で入力確定キーＣＲが操作された場合には「０３０７０」が、それぞれ数値として入力されたことを認識する。特にこのような算盤方式の場合において、複数の桁からなる数値を引き続き入力する場合には、このように入力を確定させる操作が必要である。
【００１９】
一方、この操作入力装置１においては、後述するように、珠Ｂ０〜Ｂ４、操作キーＫ０〜Ｋ４の操作に応じて、入力確定キーＣＲが操作されない場合でも、信号生成部３０が５桁の数値をこれに対応する電気信号として制御部１１０に出力する場合がある。また、この場合において、この５桁の数値に対応する電気信号を出力させずにこの数値の修正を行うために用いられる修正キーＣＣも設けられる。
【００２０】
上記の操作入力装置１においては、算盤と同様の方式で数値入力が行われるものの、入力確定キーＣＲが用いられることにより、入力される５桁の数値の不確定性がない。このため、入力された５桁の数値を用いて加算を行うだけでなく、各種の演算を制御部１１０に確実に行わせることができる。
【００２１】
ただし、この操作入力装置１においては、入力確定キーＣＲが操作されない場合でも、信号生成部３０は、場合に応じて制御部１１０に対して５桁の数値を出力する。このため、ユーザーが入力確定キーＣＲを操作するための手間を省くことができると共に、入力される数値の不確定性も除去することができる。この動作について以下に説明する。ここでは、数値操作入力部１０が実際の算盤と同様の機械的構成を具備する図２Ａ〜２Ｃの場合について説明するが、前記の通り、その動作は操作キーを用いた図３Ａ〜３Ｃの場合においても同様である。
【００２２】
まず、５桁の数値の入力が高位の桁から行われることを前提とした場合には、最下位の桁（１の位）の操作が行われた場合において、入力確定キーＣＲが操作されない場合でも、５桁の数値を確定させることができる（第１の確定動作）。図４Ａ、４Ｂは、この場合の場合における操作を示す例である。ここでは、「００１０１」が入力される場合が示されている。図４Ａにおいては、「００１０１」を高位の桁から入力する際の１００の位の「１」を入力した直後の状態（「００１００」に対応）を示す。ここでは、１００の位の珠Ｂ１が付勢力に抗して上側に移動されている。その後、図４Ｂに示されるように、この状態を維持しつつ１の位における珠Ｂ１を付勢力に抗して上側に移動させることによって、表示は「００１０１」となる。
【００２３】
ここで、最下位の桁の操作が行われたと認識された場合には、数値の入力は完了したとみなすことができるために、図４Ｂの操作が行われた直後には、信号生成部３０は、入力確定キーＣＲが操作されなくとも、この段階において表示された「００１０１」の電気信号を制御部１１０に出力することができる。同様に、最下位の桁の値が２〜９である場合にも、珠Ｂ０〜Ｂ４の少なくともいずれかに対して、付勢力に抗する操作が行われるため、信号生成部３０はこの旨を認識することができ、同様に、対応する５桁の数値を電気信号として出力させることができる。
【００２４】
一方、最下位の桁の数値が０である場合には、最下位の桁のいずれの珠も操作されない。図５Ａ、５Ｂは、このような「０１０００」（１０００）を入力する際の操作を示す例である。この場合には、入力した５桁の数値を確定させるために、入力確定キーＣＲの操作を要する。ここで、図５Ａにおいては１０００の位（左から２番目）における珠Ｂ１が付勢力に抗して上側に操作され、他の桁の珠に対しては、操作は全く行われない。このため、図５Ｂに示されるように、ユーザーは、入力確定キーＣＲを操作することによって、「０１０００」が確定したものとすることができ、信号生成部３０にこれを出力させることができる。
【００２５】
すなわち、この操作入力装置１においては、最下位の桁が１〜９である場合には珠Ｂ０〜Ｂ４に対する何らかの操作が必要である代わりに、入力確定キーＣＲの操作は不要となる。一方、最下位の桁が０である場合には珠Ｂ０〜Ｂ４に対する操作は不要であり、代わりに入力確定キーＣＲの操作が行われる。このため、算盤方式の数値入力を迅速に行うことができる。
【００２６】
なお、図４Ａ、４Ｂの例においては、自動的に「００１０１」が確定して出力されるが、ユーザーがその後で図５Ａ、５Ｂの場合と同様に入力確定キーＣＲを操作するおそれがあり、この場合には、「００１０１」が誤って２回続けて出力されるおそれがある。このため、図４Ｂのように出力が行われた場合には、例えば入力確定キーＣＲは所定の短時間（例えば１秒程度）だけ無効にすることが好ましい。
【００２７】
また、図４Ａ、４Ｂの場合と同様に、入力確定キーＣＲの操作を要さずに５桁の数値を確定させることは、他の場合においても可能である。図６Ａ〜６Ｃは、このような他の例となる動作（第２の確定動作）を示す。ここでも、数値の入力が高位の桁から行われることを前提としており、「００２１０」が入力される場合が示されている。まず、図６Ａに示されるように、１００の桁の珠Ｂ２、１０の桁の珠Ｂ１が順次操作され、「００２１０」が表示される。ただし、ここでは、１の桁は０であり操作はされないため、この時点では５桁の数値は確定しない。
【００２８】
次に、この状態で、図６Ｂに示されるように、上記で操作された桁よりも高位の桁である１０００の桁の珠Ｂ１が操作されて１が入力される（Ｂ１が上側に移動する）と、信号生成部３０は、この操作は新たな５桁の数値の入力のためのものであると認識することができる。この場合においては、信号生成部３０は、この最新の操作（１０００の桁の操作）が行われる前の数値である「００２１０」を、この時点で確定したものとして、出力させることができ、一方、新たな５桁の数値の入力は、「０１０００」から始まるものと認識することができる。
【００２９】
その後、図６Ｃに示されるように、ユーザーが１００の桁の珠Ｂ２、１０の桁の珠Ｂ１から手を離すと、これらの珠の付勢力により、１００の桁、１０の桁は共に０の状態となり、新たに入力する５桁の数値においては、この時点で１００００の桁が０、１０００の桁が１であること以外は未確定であり、その後でユーザーは、再び１００の桁、１０の桁、１の桁に対する操作を適宜行い残りの全ての桁の数値を設定することができ、図４Ａ、４Ｂ又は図５Ａ、５Ｂと同様の動作を行わせることができる。
【００３０】
図７Ａ〜７Ｃは、入力確定キーＣＲの操作を要さずに５桁の数値を確定させる他の例となる動作（第３の確定動作）を示す。初めに、図７Ａにおいては、図６Ａと同様に、１００の桁の珠Ｂ２、１０の桁の珠Ｂ１が順次操作されることにより「００２１０」が表示されている。次に、この状態から、図７Ｂに示されるように、既に操作された１００の桁において、珠Ｂ４が操作されることによって、表示が「００２１０」から「００４１０」に変更されている。
【００３１】
この場合、信号生成部３０は、図７Ｂの操作は新たな５桁の数値の入力のためのものであると認識することができるため、この最新の操作（１００の桁の操作）が行われる前の数値である「００２１０」を、この時点で確定したものとして、出力させることができ、一方、新たな５桁の数値の入力は、「００４１０」から始まるものと認識することができる。この時点ではこの新たな５桁の数値における１の桁は未設定であるために、この５桁の数値は未確定となり、後は、図４Ａ、４Ｂ又は図５Ａ、５Ｂと同様の動作を行わせることができる。
【００３２】
また、上記の例では、珠Ｂ０〜Ｂ４は、いずれも０を表示する側に付勢されているため、いずれかの桁の数値を１〜９に変更するためには、ユーザーは該当する桁の珠Ｂ０〜Ｂ４のいずれかに力を加える必要がある。このため、入力確定キーＣＲの操作を要さずに５桁の数値を確定させる他の例として、この操作が行われた際の操作の持続時間がある閾値を超えた場合に、この際の５桁の数値を確定させることができる（第４の確定動作）。
【００３３】
具体的には、例えば図２Ｂの状態とするためには、ユーザーは、１００の桁における珠Ｂ１、１０の桁における珠Ｂ０と珠Ｂ１に力を加える必要がある。この状態とした持続時間がある閾値を超えた場合に、信号生成部３０が「００１６０」を確定させて出力することができる。
【００３４】
上記のような、入力確定キーＣＲの操作を要さずに５桁の数値を確定させるための例となる動作を組み合わせて用いることができる。すなわち、上記の第１〜第４の確定動作のうちのいずれかが行われたかによって、５桁の数値を確定させることができる。このようにして５桁の数値が確定した後は、前記のように、所定の間だけ入力確定キーＣＲを無効にすることが好ましい。
【００３５】
前記の第３の確定動作（図７Ａ〜７Ｃ）においては、図７Ａで既に操作された１００の桁において、珠Ｂ４が操作されることによって、表示は「００２１０」から「００４１０」に変更したものの、この時点で前に表示された「００２１０」が確定したものとして出力された。一方、このように変更前の５桁の数値を確定させずに修正を施したい場合もある。この場合には、信号生成部３０は、修正キーＣＣが操作されたことによって、この第３の確定動作を行わせない設定とすることができる。図８Ａ〜８Ｃは、この場合の動作を図７Ａ〜７Ｃに対応させて示す図である。
【００３６】
図８Ａは図７Ａと同様の状態を示し、この時点では「００２１０」が未確定の状態で表示されている。ここで、図８Ｂに示されるようにユーザーが修正キーＣＣを操作しながら１００の桁を操作して「００２１０」から「００４１０」に変更をすることができる。図７Ａ〜７Ｃの例ではこの時点で「００２１０」が確定されたものとして出力されたのに対し、ここでは修正キーＣＣが操作されているため、未確定であった「００２１０」が「００４１０」に変更されたものとして扱われる。その後、図８Ｃに示されるように、ユーザーが入力確定キーＣＲを操作することによって、「００４１０」が確定したものとして出力される。
【００３７】
すなわち、このような修正キーＣＣを上記の第３の確定動作と組み合わせて用いることにより、既に入力された５桁の数値を確定させる前に、その修正を容易に行わせることができる。この場合には、ユーザーは、修正キーＣＣと共に、修正を要する桁の操作を行うことのみで、この修正を容易に行うことができる。
【００３８】
なお、上記の例においては、図２Ａ〜２Ｃに示されたような、実際の算盤と同様の機械的構成を具備する数値操作入力部１０が用いられたが、図３Ａ〜３Ｃに示されたような、算盤の珠を操作キー（数値設定キー）で置換した構成においても、同様の動作を行わせることができる。
【００３９】
また、図２Ａ〜２Ｃ、図３Ａ〜３Ｃの構成は、上記の珠や操作キー（数値設定操作部）を実際の機械的構成要素として実現することができるが、タッチパネルディスプレイで上記の珠や操作キーを表示させた仮想的な珠や操作キーを設けることによって同様の構成を実現してもよい。すなわち、上記の数値設定操作部は、実際の機械的構成要素として設けても、タッチパネルディスプレイにおいて仮想的に設けてもよい。タッチパネルディスプレイで数値設定操作部を設ける場合には、入力確定キーや修正キーも同様に仮想的に設けることができる。
【００４０】
更に、上記においては、５桁の数値をパーソナルコンピューターに入力させた例について示されたが、数値を電気信号化して入力させて用いる任意の電気機器に対して、同様の構成の数値入力装置を用いることができる。特に、数値を連続的に入力する動作が行われる電気機器に対しては、上記の数値入力装置を用いることにより、算盤方式の素早い入力を、不確定性なく行うことができる。この際、上記の例では、５桁の数値が用いられたが、その桁数は任意であるが、この桁数が少ない場合に、特に入力を素早く行わせることができる。
【００４１】
また、上記の例では複数の桁の１０進数がこの数値入力装置で算盤方式で入力されるものとしたが、他の形式の数値であっても、この数値が複数の桁で表現されれば、同様の構成を用いることができる。この場合において、その表現として算盤方式以外のものを適宜用いてもよい。
【００４２】
更に、上記の例では数値を電気信号に変換して電気機器に入力させる場合について説明されたが、文字（日本語文字、アルファベット文字等）をコード化して用いる場合には、数値と文字を１対１に対応させることができる。この場合には、上記のように数値を設定、確定させ、確定された数値を文字に変換することで、上記の数値入力装置を、文字入力装置の一部としても用いることができる。
【図１】
2019220756.tif 000003
【図２Ａ】
2019220756.tif 000004
【図２Ｂ】
2019220756.tif 000005
【図２Ｃ】
2019220756.tif 000006
【図３Ａ】
2019220756.tif 000007
【図３Ｂ】
2019220756.tif 000008
【図３Ｃ】
2019220756.tif 000009
【図４Ａ】
2019220756.tif 000010
【図４Ｂ】
2019220756.tif 000011
【図５Ａ】
2019220756.tif 000012
【図５Ｂ】
2019220756.tif 000013
【図６Ａ】
2019220756.tif 000014
【図６Ｂ】
2019220756.tif 000015
【図６Ｃ】
2019220756.tif 000016
【図７Ａ】
2019220756.tif 000017
【図７Ｂ】
2019220756.tif 000018
【図７Ｃ】
2019220756.tif 000019
【図８Ａ】
2019220756.tif 000020
【図８Ｂ】
2019220756.tif 000021
【図８Ｃ】
2019220756.tif 000022
【国際調査報告】
2019220756.tif 000023
2019220756.tif 000024
2019220756.tif 000025
2019220756.tif 000026